(57)【要約】【課題】空調ユニットの電気部品を保護しつつ、空調ユニットを設置するために必要な設置領域の拡大を抑える。【解決手段】中間空間形成壁２２は、通風路形成部２０から車両取付部８２側へ延設され、ファンモータ１４２等の電気部品が配置された中間空間２２ａを囲んでいる。従って、中間空間２２ａ内の電気部品を中間空間形成壁２２によって保護することが可能である。また、中間空間２２ａは通風路２０ａと車両取付部８２との間に配置されているので、空調ユニット１０が車両取付部８２上において平面的に占める設置スペースが、中間空間２２ａが設けられることに起因して拡大することを回避することができる。すなわち、空調ユニット１０を設置するために必要な設置領域の拡大を抑えることが可能である。【選択図】図２
2018069854.tif 000002
【特許請求の範囲】
【請求項１】
車室（８０）の一部を形成する所定の車両取付部（８２）に取り付けられ、前記車室内に配置され、且つ、該車室内の空調を行う空調ユニットであって、
前記車室内へ吹き出される空調空気が流れる通風路（２０ａ）を形成する通風路形成部（２０）と、
前記通風路と前記車両取付部との間に配置された中間空間（２２ａ）を形成する中間空間形成壁（２２）と、
電気部品（３２、３６、３８、１４２）とを備え、
前記中間空間内には、前記電気部品の少なくとも一部分が配置されており、
前記中間空間形成壁は、前記通風路形成部から前記車両取付部側へ延設され、且つ前記中間空間を囲んでいる空調ユニット。
【請求項２】
貫通部品（３４、３５、４０）を備え、
前記車両取付部は、前記車室内と該車室の外とを仕切る内外隔壁（８５）の一部であり、
前記通風路形成部および前記中間空間形成壁は空調ケース（１２）の少なくとも一部を構成し、
前記貫通部品は、前記車室内のうち前記空調ケースが占める範囲を除いたケース周囲空間（８０１）を経ずに、前記中間空間から前記車両取付部を貫通して前記車室の外へ導出される請求項１に記載の空調ユニット。
【請求項３】
貫通部品（３４、３５、４０）を備え、
前記車両取付部は、前記車室内と該車室の外とを仕切る内外隔壁（８５）の一部であって、被貫通隔壁（８２１）を有し、
該被貫通隔壁は、前記中間空間に面し、且つ、該中間空間のうち前記通風路側とは反対側を覆い、
前記貫通部品は、前記中間空間から前記被貫通隔壁を貫通して前記車室の外へ導出される請求項１に記載の空調ユニット。
【請求項４】
前記車両取付部へ固定される複数のユニット取付部（２６）を備え、
前記中間空間形成壁は、前記通風路形成部から前記車両取付部側へ筒形状を成して延設され、該中間空間形成壁の内側に前記中間空間を形成しており、
前記複数のユニット取付部は、前記中間空間形成壁の周方向（ＤＲｒ）に相互間隔を空け並んで配置され、且つ前記中間空間形成壁に一体に固定されている請求項１ないし３のいずれか１つに記載の空調ユニット。
【請求項５】
前記通風路形成部は、第１形成部（２０１）と、前記中間空間形成壁の軸方向（ＤＲａ）で該中間空間形成壁と前記第１形成部との間に位置する第２形成部（２０２）とから構成されており、
前記中間空間形成壁は、前記第２形成部と一体成形されたものである請求項４に記載の空調ユニット。
【請求項６】
前記中間空間形成壁は、前記通風路形成部と一体構成になっている請求項１ないし４のいずれか１つに記載の空調ユニット。
【発明の詳細な説明】
【技術分野】
【０００１】
本発明は、車室内の空調を行う空調ユニットに関するものである。
【背景技術】
【０００２】
この種の空調ユニットとして、例えば特許文献１に記載された車両用空調装置が従来から知られている。この特許文献１に記載された車両用空調装置は、車室内に設置されている。そして、特許文献１の車両用空調装置は、空調空気が流れる空気通路を形成する空調ケースと、その空調ケースとは別体の防塵カバーとを備えている。
【０００３】
この防塵カバーは、モータなどの電気部品を車室内の砂塵から保護するためのカバーである。防塵カバーは、空調ケースに対し車両前方側に配置され、空調ケースに結合されている。そして、防塵カバーは、空調ケースの外壁面との間に防塵空間を形成している。そして、上記電気部品の一部は、その防塵空間に入り込んでいる。
【先行技術文献】
【特許文献】
【０００４】
【特許文献１】特開２００９−１４３３８６号公報
【発明の概要】
【発明が解決しようとする課題】
【０００５】
特許文献１の車両用空調装置（すなわち、空調ユニット）では、防塵カバーは、防塵空間内の電気部品等を保護するために必要である。しかし、防塵空間は防塵カバーと空調ケースの外壁面との間に形成されているので、その防塵空間は、空調ケースに対し車両前方側に配置されている。従って、特許文献１の車両用空調装置では、防塵カバーおよび防塵空間が設けられることにより、車両用空調装置を設置するために必要な設置領域が車両前方側へ拡大している。例えば、特許文献１の車両用空調装置は、車室の床面部に取り付けられているので、その床面部上における設置領域が車両前方側へ拡大している。発明者らの詳細な検討の結果、以上のようなことが見出された。
【０００６】
本発明は上記点に鑑みて、空調ユニットの電気部品を保護しつつ、空調ユニットを設置するために必要な設置領域の拡大を抑えることを目的とする。
【課題を解決するための手段】
【０００７】
上記目的を達成するため、請求項１に記載の発明に係る空調ユニットは、
車室（８０）の一部を形成する所定の車両取付部（８２）に取り付けられ、車室内に配置され、且つ、その車室内の空調を行う空調ユニットであって、
車室内へ吹き出される空調空気が流れる通風路（２０ａ）を形成する通風路形成部（２０）と、
通風路と車両取付部との間に配置された中間空間（２２ａ）を形成する中間空間形成壁（２２）と、
電気部品（３２、３６、３８、１４２）とを備え、
中間空間内には、電気部品の少なくとも一部分が配置されており、
中間空間形成壁は、通風路形成部から車両取付部側へ延設され、且つ中間空間を囲んでいる。
【０００８】
このようにすれば、中間空間内の電気部品を中間空間形成壁によって保護することが可能である。そして、その中間空間は通風路と車両取付部との間に配置されているので、空調ユニットが車両取付部上において平面的に占める設置スペースが、中間空間が設けられることに起因して拡大することを回避することができる。すなわち、特許文献１の車両用空調装置と比較して、空調ユニットを設置するために必要な設置領域の拡大を抑えることが可能である。
【０００９】
なお、特許請求の範囲およびこの欄で記載した括弧内の各符号は、後述する実施形態に記載の具体的内容との対応関係を示す一例である。
【図面の簡単な説明】
【００１０】
【図１】第１実施形態において、車室内での空調ユニットの配置を示した模式図である。
【図２】第１実施形態において空調ユニットの概略構成を示した模式図であって、空調ユニットが部分的に断面図示された図である。
【図３】第１実施形態において空調ユニットの単体を斜め上側から見た斜視図である。
【図４】第１実施形態において空調ユニットの単体を斜め下側から見た斜視図である。
【図５】第１実施形態に対する比較例の空調ユニットの概略構成を示した模式図であって、図２に相当する図である。
【発明を実施するための形態】
【００１１】
以下、図面を参照しながら、本発明を実施するための形態を説明する。なお、後述の他の実施形態を含む以下の各実施形態相互において、互いに同一もしくは均等である部分には、図中、同一符号を付してある。
【００１２】
（第１実施形態）
本実施形態の空調ユニット１０は、車室８０内の空調を行う車両搭載機器である。図１および図２に示すように、空調ユニット１０は車室８０内に配置されている。そして、空調ユニット１０は、車室８０の一部を形成する所定の車両取付部８２に取り付けられている。具体的に、その車両取付部８２は、車両８４のボデーが有する内外隔壁８５の一部である。そして、その内外隔壁８５は、車室８０内と車室８０の外とを仕切る隔壁である。
【００１３】
詳細には、その内外隔壁８５は車室８０の床面を構成している。そして、車室８０内には複数の座席８６１、８６２が設置されており、空調ユニット１０は、その複数の座席８６１、８６２のうちの後部座席８６２と内外隔壁８５との間に設けられている。
【００１４】
なお、図１の矢印Ａ１は、内外隔壁８５に対する車室内空間側すなわち車室８０側を指し示し、矢印Ａ２は、内外隔壁８５に対する車室外空間８７側を指し示している。また、図１および図２の各矢印ＤＲ１、ＤＲ２、ＤＲ３は、空調ユニット１０が搭載された車両８４の向きを示す。すなわち、図１の矢印ＤＲ１は車両上下方向ＤＲ１を示し、矢印ＤＲ２は車両前後方向ＤＲ２を示し、図２の矢印ＤＲ３は車両左右方向ＤＲ３すなわち車両幅方向ＤＲ３を示している。また、図２では、空調ユニット１０のうちの下側部分が断面図示されている。
【００１５】
図２〜４に示すように、空調ユニット１０は、空調ケース１２と送風機１４とヒータコア１６とを主要構成要素として備えている。本実施形態の空調ユニット１０は、暖房機能を備えているが冷房機能を備えてはいない。要するに、空調ユニット１０は暖房専用空調ユニット（要するに、ヒータ）である。
【００１６】
空調ケース１２は空調ユニット１０の外殻を成す。空調ケース１２内には、送風機１４とヒータコア１６とが収容されている。空調ケース１２は、通風路形成部２０と中間空間形成壁２２と吹出部２４と複数のユニット取付部２６と吸気口カバー１２１とを有している。例えば、その通風路形成部２０と中間空間形成壁２２と吹出部２４と複数のユニット取付部２６と吸気口カバー１２１は何れも樹脂製である。
【００１７】
送風機１４は、遠心式の送風ファン１４１と、ファンモータ１４２とを有している。そのファンモータ１４２は、送風ファン１４１の下側に配置され、車両上下方向ＤＲ１に延びるファン軸線ＣＬｆまわりに送風ファン１４１を回転させる。
【００１８】
送風ファン１４１はそのファン軸線ＣＬｆまわりに回転することにより、空調ケース１２に形成され上側を向いて開口した吸気口１２ａから空気を吸い込む。そして、送風ファン１４１は、空調ケース１２に形成された通風路２０ａへ、その吸い込んだ空気を吹き出す。
【００１９】
ヒータコア１６内にはエンジン冷却水が流通する。ヒータコア１６は、そのエンジン冷却水と空気との熱交換によりその空気を加熱する加熱用熱交換器である。
【００２０】
空調ケース１２の通風路形成部２０は、車室８０内へ吹き出される空調空気が流れる通風路２０ａを形成している。その通風路２０ａ内には、送風ファン１４１とヒータコア１６とが収容されている。
【００２１】
通風路２０ａ内では、内外隔壁８５の一部である車両取付部８２に沿った一方向である送風方向ＤＲｘに空気が流れる。本実施形態ではその送風方向ＤＲｘは車両幅方向ＤＲ３に沿った向きである。そして、通風路２０ａの空気流れ上流側は車両右側であり、通風路２０ａの空気流れ下流側は車両左側である。
【００２２】
すなわち、送風ファン１４１は通風路２０ａのうち車両右側の端に配置されている。そして、通風路２０ａ内においてヒータコア１６は送風ファン１４１よりも空気流れ下流側すなわち車両左側に配置されている。
【００２３】
空調ケース１２の吹出部２４は、通風路２０ａの空気流れ下流側にある下流端２０ｂを覆うように通風路形成部２０に固定されている。吹出部２４には複数の貫通孔が形成され、その貫通孔は、通風路２０ａからの空気を吹き出す吹出口２４ａとして設けられている。
【００２４】
従って、送風ファン１４１が吹き出した空気は通風路２０ａ内でヒータコア１６を通過する。そして、その空気は、ヒータコア１６を通過する際にヒータコア１６で加熱され、その加熱された後に吹出口２４ａから吹き出される。
【００２５】
空調ケース１２の中間空間形成壁２２は、通風路２０ａと車両取付部８２との間に配置された中間空間２２ａを形成している。すなわち、通風路形成部２０は、車両取付部８２に対し中間空間２２ａの分だけ車両上下方向ＤＲ１に間隔を空け、車両取付部８２から離れて配置されている。その中間空間２２ａは、通風路形成部２０によって通風路２０ａから隔てられた空間となっている。
【００２６】
中間空間形成壁２２は、通風路形成部２０から車両取付部８２側（すなわち、下側）へ延設され、中間空間２２ａを囲んでいる。詳細には、中間空間形成壁２２は、通風路形成部２０から車両取付部８２側へ筒形状を成して延設されている。従って、その筒形状の中間空間形成壁２２の軸方向ＤＲａは車両上下方向ＤＲ１に沿った向きになっている。そして、中間空間形成壁２２は、その中間空間形成壁２２の内側に中間空間２２ａを形成している。本実施形態の中間空間形成壁２２には孔または切欠きなどは形成されておらず、中間空間形成壁２２は中間空間２２ａの全周にわたって中間空間２２ａを覆っている。
【００２７】
また、中間空間形成壁２２の軸方向ＤＲａにおける中間空間２２ａの通風路２０ａ側とは反対側は、車両取付部８２に塞がれている。すなわち、中間空間２２ａの下側は車両取付部８２に塞がれている。詳細には、車両取付部８２は被貫通隔壁８２１を有し、その被貫通隔壁８２１は、中間空間２２ａに面すると共に、その中間空間２２ａのうち通風路２０ａ側とは反対側を覆っている。
【００２８】
また、通風路形成部２０は、第１形成部２０１と第２形成部２０２とを有し、その第１形成部２０１と第２形成部２０２とが互いに接合されることにより構成されている。その第１形成部２０１と第２形成部２０２との接合は例えばビス止めなどである。
【００２９】
その第１形成部２０１と第２形成部２０２はそれぞれ凹形状を有し、その凹形状が互いに向き合うように接合されている。これにより、通風路形成部２０内に通風路２０ａが形成される。
【００３０】
通風路形成部２０のうち第２形成部２０２は、中間空間形成壁２２の軸方向ＤＲａで中間空間形成壁２２と第１形成部２０１との間に位置している。すなわち、通風路形成部２０の第１形成部２０１は、第２形成部２０２の上側に配置されている。
【００３１】
また、上述した吸気口１２ａは、空調ケース１２のうち通風路形成部２０の第１形成部２０１に形成されている。そして、空調ケース１２の吸気口カバー１２１は、吸気口１２ａへ吸い込まれる空気の通路としての隙間を第１形成部２０１との間に形成しつつ、その吸気口１２ａを覆うように第１形成部２０１に固定されている。なお、吸気口カバー１２１は図３には図示されているが、図２では、吸気口カバー１２１の図示は省略されている。
【００３２】
中間空間形成壁２２は通風路形成部２０から延設されていると上述したが、詳しく言えば、その中間空間形成壁２２は通風路形成部２０の第２形成部２０２から延設されている。そして、中間空間形成壁２２はその第２形成部２０２と一体成形されたものである。要するに、中間空間形成壁２２は、通風路形成部２０と一体構成になっている。例えば、その中間空間形成壁２２および通風路形成部２０の第２形成部２０２は、射出成形等によって一体に成形されている。
【００３３】
空調ケース１２のユニット取付部２６は、車両取付部８２へ固定されるユニット取付足である。本実施形態ではユニット取付部２６は合計３つ設けられている。
【００３４】
具体的には、複数のユニット取付部２６にはそれぞれ、車両上下方向ＤＲ１へ貫通したボルト孔２６ａが形成されている。そして、そのユニット取付部２６はそれぞれ、そのボルト孔２６ａに挿通されたボルト２６１によって車両取付部８２へ固定される。これにより、空調ユニット１０は車両取付部８２へ固定される。
【００３５】
複数のユニット取付部２６はそれぞれ、中間空間形成壁２２から外側へ突き出すように形成されている。そして、複数のユニット取付部２６はそれぞれ、中間空間形成壁２２に一体に固定されている。具体的には、その複数のユニット取付部２６と通風路形成部２０の第２形成部２０２と中間空間形成壁２２は単一の成形品を構成している。
【００３６】
また、複数のユニット取付部２６は、中間空間形成壁２２の周方向ＤＲｒに相互間隔を空け並んで配置されている。
【００３７】
空調ユニット１０は、レジスタ３２と温水配管３４、３５と吹出温度センサ３６とセンサ電線３８と導出電線４０とを備えている。レジスタ３２は、ファンモータ１４２の回転数を増減させる電気部品である。吹出温度センサ３６は、通風路２０ａから吹き出される空気の温度を検出するセンサであり、例えば通風路２０ａ内のうちヒータコア１６よりも空気流れ下流側で空気の温度を検出する。センサ電線３８は、吹出温度センサ３６の検出信号を伝達する信号用の電線である。
【００３８】
温水配管３４、３５は、温水であるエンジン冷却水をヒータコア１６に循環させるためのパイプである。従って、温水配管３４、３５はヒータコア１６に連結されており、温水配管３４、３５内にはエンジン冷却水が流通する。
【００３９】
導出電線４０は例えば複数の電線から成る電線束（すなわち、ワイヤーハーネス）である。例えばこの導出電線４０には電源用の電線および信号用の電線等が含まれる。導出電線４０は、空調ユニット１０が有する電気部品と、空調ユニット１０の外部に設けられた電気機器とを電気的につないでいる。
【００４０】
温水配管３４、３５および導出電線４０は、中間空間２２ａから被貫通隔壁８２１を貫通して車室８０の外（すなわち、車室外空間８７）へ導出されている。つまり、これらの温水配管３４、３５および導出電線４０は、被貫通隔壁８２１を貫通する貫通部品として設けられている。
【００４１】
別言すれば、その温水配管３４、３５および導出電線４０は、車室８０内のうち空調ケース１２が占める範囲を除いたケース周囲空間８０１を経ずに、中間空間２２ａから車両取付部８２を貫通して車室外すなわち車室８０の外へ直接導出されている。例えば温水配管３４、３５は、車両取付部８２のうち被貫通隔壁８２１に形成された配管孔８２１ａに挿通されており、その配管孔８２１ａを介して中間空間２２ａから車室外空間８７へ導出されている。
【００４２】
また、ファンモータ１４２のうちの下側の一部分、吹出温度センサ３６のうちの下側の一部分、レジスタ３２、およびセンサ電線３８は、中間空間２２ａ内に配置されている。すなわち、それらファンモータ１４２、吹出温度センサ３６、レジスタ３２、およびセンサ電線３８は何れも、空調ユニット１０が有する電気部品であり、その電気部品の一部分は中間空間２２ａ内に配置されている。
【００４３】
上述したように、本実施形態によれば図１、２、４に示すように、中間空間形成壁２２は、通風路形成部２０から車両取付部８２側へ延設され、レジスタ３２等の電気部品３２、３６、３８、１４２が配置された中間空間２２ａを囲んでいる。従って、中間空間２２ａ内の電気部品３２、３６、３８、１４２を中間空間形成壁２２によって保護することが可能である。すなわち、中間空間形成壁２２は、その電気部品３２、３６、３８、１４２を保護する防護壁として機能し、中間空間２２ａは、その電気部品３２、３６、３８、１４２が配置された防護空間となっている。
【００４４】
また、中間空間２２ａは車両上下方向ＤＲ１において通風路２０ａと車両取付部８２との間に配置されている。従って、空調ユニット１０が車両取付部８２上において平面的に占める設置スペースが、中間空間２２ａが設けられることに起因して拡大することを回避することができる。すなわち、特許文献１の車両用空調装置と比較して、空調ユニット１０を設置するために必要な設置領域の拡大を抑えることが可能である。このように空調ユニット１０の省スペース化を達成することにより、車両８４への空調ユニット１０の搭載性の向上、および、車室８０内で乗員が利用できる居住スペースの拡大を図ることが可能である。
【００４５】
例えば、特許文献１の車両用空調装置では、上記防護空間に相当する防塵空間の形成には、空調ケースとは別部品である防護カバーの追加が必要とされる。これに対し、本実施形態では、その防護空間としての中間空間２２ａは、空調ケース１２の一部を構成する中間空間形成壁２２と、内外隔壁８５の一部である被貫通隔壁８２１とによって形成されている。従って、本実施形態では、特許文献１の防護カバーに相当する部品が不要であるので、部品点数の削減を図ることができ、延いては、部品費用および部品の組付け費用などの低減を達成することが可能である。
【００４６】
また、特許文献１の車両用空調装置と比較して、本実施形態では、防塵性と防水性と防音性とを向上させ易く、乗員が温水配管３４、３５等に触れることを防止し易い。
【００４７】
また、中間空間２２ａは通風路２０ａと車両取付部８２との間に配置されているが、別言すれば、その通風路２０ａを形成する通風路形成部２０と内外隔壁８５との間に形成された隙間が中間空間２２ａとなっている。従って、ケース周囲空間８０１から中間空間２２ａへの防塵性と防水性、および、中間空間２２ａからケース周囲空間８０１への防音性を中間空間形成壁２２によって確保し易い。
【００４８】
また、中間空間２２ａを囲む中間空間形成壁２２の配置からすると、その中間空間形成壁２２が乗員の不注意等に起因して足で蹴られ破損するということが回避されやすいというメリットがある。
【００４９】
また、本実施形態によれば、車両取付部８２は、車室８０内と車室８０外とを仕切る内外隔壁８５の一部である。そして、通風路形成部２０および中間空間形成壁２２は空調ケース１２の一部を構成している。温水配管３４、３５および導出電線４０などの貫通部品は、車室８０内のうち空調ケース１２が占める範囲を除いたケース周囲空間８０１を経ずに、中間空間２２ａから車両取付部８２を貫通して車室８０外へ導出される。すなわち、その貫通部品は、中間空間２２ａから、その中間空間２２ａに面する被貫通隔壁８２１を貫通して車室８０の外へ導出される。
【００５０】
従って、そのケース周囲空間８０１と中間空間２２ａとを仕切る中間空間形成壁２２においてシール構造は、車室外へ貫通部品を導出するために必要とはならない。そのため、特許文献１の車両用空調装置と比較して、本実施形態では空調ユニット１０全体としてシール構造の簡素化を達成し易く、空調ユニット１０の防塵性、防水性、および防音性の向上を図り易い。
【００５１】
詳しく言うと、車室８０内の床面の掃除や水洗いで、特許文献１の車両用空調装置では、防塵カバーの貫通孔等から塵埃や水が防塵空間に侵入するおそれがあり、防塵空間からの音漏れを生じるおそれもある。これに対し、本実施形態では、中間空間形成壁２２に貫通部品を通すための孔等を形成する必要がないので、空調ユニット１０の防塵性、防水性、および防音性の向上を図り易い。
【００５２】
また、貫通部品がケース周囲空間８０１に余分なスペースを必要とはせず、省スペース化および部品の簡素化を図ることが可能である。
【００５３】
また、本実施形態によれば、中間空間形成壁２２は、通風路形成部２０から車両取付部８２側へ筒形状を成して延設され、その中間空間形成壁２２の内側に中間空間２２ａを形成している。そして、車両取付部８２へ固定される複数のユニット取付部２６は、中間空間形成壁２２の周方向ＤＲｒに相互間隔を空け並んで配置され、且つ中間空間形成壁２２に一体に固定されている。従って、ユニット取付部２６を簡素で強度の高い取付構造にすることが可能となる。その結果として、空調ユニット１０の耐振性の向上および低コスト化を図りやすくなる。
【００５４】
ここで、本実施形態に対する比較例として、図５に示す空調ユニット９０を想定する。その図５の空調ユニット９０では通風路形成部２０は本実施形態の空調ユニット１０と同様の構成であるが、図５の空調ユニット９０は中間空間形成壁２２を備えていない。そのため、図５の空調ユニット９０は、本実施形態のユニット取付部２６に相当する複数の取付足９２を有している。その複数の取付足９２は強度確保のため鉄等の金属製であり、通風路形成部２０の下面に固定されている。
【００５５】
このような図５の比較例と本実施形態とを比較した場合、本実施形態では中間空間形成壁２２が複数のユニット取付部２６を補強する補強部材として機能し、図５の比較例よりも、より簡素で且つ強度の高い取付構造を実現することが可能となっている。その結果として、延いては、本実施形態の空調ユニット１０の耐振性の向上と低コスト化とを図ることが可能である。
【００５６】
また、本実施形態では、中間空間形成壁２２がユニット取付部２６の補強部材として機能しているので、ユニット取付部２６の強度を十分に確保しつつユニット取付部２６を樹脂製とすることが可能である。
【００５７】
また、本実施形態によれば、通風路形成部２０は、第１形成部２０１と、中間空間形成壁２２の軸方向ＤＲａでその中間空間形成壁２２と第１形成部２０１との間に位置する第２形成部２０２とから構成されている。そして、中間空間形成壁２２は、第２形成部２０２と一体成形されたものである。従って、通風路形成部２０の第２形成部２０２を利用して、強度の高い中間空間形成壁２２を得ることが可能である。
【００５８】
また、本実施形態によれば、中間空間形成壁２２は、通風路形成部２０と一体構成になっている。従って、中間空間形成壁２２と通風路形成部２０との全体で強度の高い構造を実現することが容易である。
【００５９】
（他の実施形態）
（１）上述の実施形態では図２に示すように、空調ユニット１０は、暖房機能を備えているが冷房機能を備えてはいないヒータである。しかしながら、これは一例であり、例えば、空調ユニット１０は、暖房機能と冷房機能とのうち冷房機能だけを備えたクーラであってもよいし、暖房機能と冷房機能との両方を備えた冷暖房空調ユニットであってもよい。例えば、空調ユニット１０が冷房機能を備える場合には、冷凍サイクルのエバポレータが通風路２０ａに配置される。
【００６０】
（２）上述の実施形態では図１に示すように、空調ユニット１０は、例えば後部座席８６２の下側に設けられているが、その空調ユニット１０は、車室８０内のいずれの箇所に配置されても差し支えない。例えば空調ユニット１０は、車室８０内の前方部分に配置されたフロント用空調ユニットであってもよい。
【００６１】
（３）上述の実施形態では図３に示すように、通風路形成部２０および中間空間形成壁２２は空調ケース１２の一部を構成するが、その空調ケース１２の全部を構成しても差し支えない。
【００６２】
（４）上述の実施形態では図３および図４に示すように、中間空間形成壁２２には孔または切欠きなどは形成されていないが、中間空間形成壁２２のうちの一部分に、孔または切欠きなどが形成されていても差し支えない。
【００６３】
また、中間空間形成壁２２は中間空間２２ａの全周にわたって中間空間２２ａを囲んでいる必要はなく、中間空間形成壁２２に覆われていない部分が中間空間２２ａの一部にあってもよい。その中間空間形成壁２２が中間空間２２ａを囲む範囲は、例えば中間空間形成壁２２の用途などに応じて適宜決定されればよい。
【００６４】
（５）上述の実施形態では図４に示すように、空調ユニット１０が有する電気部品３２、３６、３８、１４２の一部分が中間空間２２ａ内に配置されているが、その電気部品３２、３６、３８、１４２の全部が中間空間２２ａ内に配置されていても差し支えない。
【００６５】
（６）上述の実施形態では図２に示すように、中間空間形成壁２２は通風路形成部２０の第２形成部２０２と一体成形されたものであるが、その中間空間形成壁２２がその第２形成部２０２とは別の部品として構成されたものであっても差し支えない。そのような場合においても、中間空間形成壁２２がその第２形成部２０２に対し、一体成形と同程度またはそれ以上の強度で固定されていれば、中間空間形成壁２２が通風路形成部２０と一体構成になっていると言える。例えば、その第２形成部２０２に対する中間空間形成壁２２の固定は、溶着またはビス止め等によって行うことができる。
【００６６】
（７）上述の実施形態では図２に示すように、温水配管３４、３５および導出電線４０は、中間空間２２ａから被貫通隔壁８２１を貫通して車室外空間８７へ導出されているが、これは一例である。例えば、中間空間２２ａに対し被貫通隔壁８２１を隔てた反対側にはトランクルームがあってもよい。その場合には、温水配管３４、３５および導出電線４０は、中間空間２２ａから被貫通隔壁８２１を貫通してトランクルームへ導出される。
【００６７】
（８）上述の実施形態では図２に示すように、中間空間２２ａの防塵性等が中間空間形成壁２２によって確保され易くなっているが、その中間空間形成壁２２の用途は防塵等に限らない。例えば、空調ユニット１０が冷房機能を有する場合には、クーラ配管の結露防止、または中間空間２２ａとケース周囲空間８０１との間の断熱などを目的として、中間空間形成壁２２が設けられていてもよい。
【００６８】
（９）上述の実施形態では図１に示すように、空調ユニット１０は車両幅方向ＤＲ３へ空調空気を吹き出すように車室８０内に設置されているが、その空調ユニット１０の向きに限定はない。
【００６９】
なお、本発明は、上述の実施形態に限定されることなく、様々な変形例や均等範囲内の変形をも包含する。また、上記実施形態において、実施形態を構成する要素は、特に必須であると明示した場合および原理的に明らかに必須であると考えられる場合等を除き、必ずしも必須のものではないことは言うまでもない。
【００７０】
また、上記実施形態において、実施形態の構成要素の個数、数値、量、範囲等の数値が言及されている場合、特に必須であると明示した場合および原理的に明らかに特定の数に限定される場合等を除き、その特定の数に限定されるものではない。また、上記実施形態において、構成要素等の材質、形状、位置関係等に言及するときは、特に明示した場合および原理的に特定の材質、形状、位置関係等に限定される場合等を除き、その材質、形状、位置関係等に限定されるものではない。
【００７１】
（まとめ）
上記実施形態の一部または全部で示された第１の観点によれば、通風路形成部は、車室内へ吹き出される空調空気が流れる通風路を形成する。また、中間空間形成壁は、通風路と車両取付部との間に配置された中間空間を形成する。その中間空間内には、電気部品の少なくとも一部分が配置されている。また、中間空間形成壁は、通風路形成部から車両取付部側へ延設され、且つ中間空間を囲んでいる。
【００７２】
また、第２の観点によれば、車両取付部は、車室内と車室の外とを仕切る内外隔壁の一部である。また、通風路形成部および中間空間形成壁は空調ケースの少なくとも一部を構成する。貫通部品は、車室内のうち空調ケースが占める範囲を除いたケース周囲空間を経ずに、中間空間から車両取付部を貫通して車室の外へ導出される。従って、ケース周囲空間と中間空間とを仕切る中間空間形成壁においてシール構造が、車室外へ貫通部品を導出するために必要とはされない。そのため、空調ユニット１０の防塵性、防水性、および防音性の向上を図り易い。また、貫通部品がケース周囲空間に余分なスペースを必要とはせず、省スペース化および部品の簡素化を図ることが可能である。
【００７３】
また、第３の観点によれば、車両取付部は、車室内と車室の外とを仕切る内外隔壁の一部であって、被貫通隔壁を有する。そして、その被貫通隔壁は、中間空間に面し、且つ、その中間空間のうち通風路側とは反対側を覆う。貫通部品は、中間空間から被貫通隔壁を貫通して車室の外へ導出される。従って、上述の第２の観点と同様に、ケース周囲空間を経ずに中間空間から車室の外へ導出される。そのため、上述の第２の観点に基づいて得られる作用効果と同様の作用効果を得ることができる。
【００７４】
また、第４の観点によれば、中間空間形成壁は、通風路形成部から車両取付部側へ筒形状を成して延設され、その中間空間形成壁の内側に中間空間を形成している。そして、車両取付部へ固定される複数のユニット取付部は、中間空間形成壁の周方向に相互間隔を空け並んで配置され、且つ中間空間形成壁に一体に固定されている。従って、ユニット取付部を簡素で強度の高い取付構造にすることが可能となる。その結果として、空調ユニットの耐振性の向上および低コスト化を図りやすくなる。
【００７５】
また、第５の観点によれば、通風路形成部は、第１形成部と、中間空間形成壁の軸方向でその中間空間形成壁と第１形成部との間に位置する第２形成部とから構成されている。そして、中間空間形成壁は、第２形成部と一体成形されたものである。従って、通風路形成部の第２形成部を利用して、強度の高い中間空間形成壁を得ることが可能である。
【００７６】
また、第６の観点によれば、中間空間形成壁は、通風路形成部と一体構成になっている。従って、中間空間形成壁と通風路形成部との全体で強度の高い構造を実現することが容易である。
【符号の説明】
【００７７】
２０        通風路形成部
２０ａ      通風路
２２        中間空間形成壁
２２ａ      中間空間
３２        レジスタ（電気部品）
３６        吹出温度センサ（電気部品）
３８        センサ電線（電気部品）
８０        車室
８２        車両取付部
１４２      ファンモータ（電気部品）
【図１】
2018069854.tif 000003
【図２】
2018069854.tif 000004
【図３】
2018069854.tif 000005
【図４】
2018069854.tif 000006
【図５】
2018069854.tif 000007